(57)【要約】【課題】髭剃りとともに美顔ローラーの微細な振動により効率よく美顔・美容効果が得られる。【解決手段】外装ホルダーに固定される多数の網目状開口部を有する外刃と、該外刃の内面に摺接して往復摺動する内刃とを備えた電気シェーバーにおいて、前記外装ホルダーの片側または両側の側面に少なくともゲルマニウムを有するローラーを肌と接触可能にして且つ回転自在に設けた。前記内刃又は外刃の往復運動による微細な振動を前記ローラーに伝達してローラー自体が振動するように構成されてなる。【選択図】図１
0003156986.tif 000002
【実用新案登録請求の範囲】
【請求項１】
外装ホルダーに固定される多数の網目状開口部を有する外刃と、該外刃の内面に摺接して往復摺動する内刃とを備えた電気シェーバーにおいて、前記外装ホルダーの片側または両側の側面にゲルマニウムを有する美顔ローラーを肌と接触可能にして且つ回転自在に設けたことを特徴とする電気シェーバー。
【請求項２】
前記内刃又は外刃の往復運動による微細な振動を前記美顔ローラーに伝達して美顔ローラー自体が振動するように構成されてなることを特徴とする請求項１記載の電気シェーバー。
【請求項３】
前記美顔ローラーは、ゲルマニウムの他に少なくともプラチナ、金、ロジウム及びパラジウムの何れか一種を有することを特徴とする請求項１または２記載の電気シェーバー。
【考案の詳細な説明】
【技術分野】
【０００１】
本考案は、外装ホルダーの側面にゲルマニウム及びプラチナの少なくとも一種を有する美顔ローラーを設けた電気シェーバーであって、髭剃り動作とともに前記ローラーを肌に接した状態で回転することによって美顔効果が得られる電気シェーバーに関する。
【背景技術】
【０００２】
近年、美顔効果を目的としたローラー式美顔器が女性の間で流行している。また、最近は女性だけでなく男性も化粧をしたり脂肪を減らしスリムな容貌を形成する美顔器を使用するなど美顔に対する感心が高まっている。例えば、表面に石英片岩を配したローラーを回転可能に支持した美肌用具の発明（特許文献１参照）、フェライト磁石からなる心材の周囲に、不純物として、リン、ヒ素、アンチモン又はビスマスを含むゲルマニウムからなる不純物半導体層を設けた美肌用ゲルマニウムローラーの発明（特許文献２参照）、半導体被覆酸化チタンを装着したビューティーローラーの発明（特許文献３参照）、フェライトよりなるローラ基体を被覆するゲルマニウム薄膜層よりなる円筒状ローラ部材を回転自在に軸着した皮膚接触用保健ローラの考案（特許文献４参照）などが開示されている。しかし、前記の美容を目的としたローラーは、主に女性を対象としたものであり、男性の場合は、美顔のためのローラーを単独で使用することは面倒であり忘れがちになって、遂に断念するに至る場合が多く流行する迄には至っていない。また、前記文献記載の発明や考案は何れもローラー単独で構成されており、電気シェーバーに取着したものは見出されていない。更に、電気シェーバーの微細な振動によってローラーを振動させる構成のものも見出されていない。
【先行技術文献】
【特許文献】
【０００３】
【特許文献１】特開２００４−１７３９３３号公報
【特許文献２】特開平１１−２３５２８９号公報
【特許文献３】特開２００５−１３６６４号公報
【特許文献４】実告平３−４７６６０号公報
【特許文献５】特開平５−２９３２６２号公報
【考案の概要】
【考案が解決しようとする課題】
【０００４】
本願考案者は、女性用の美顔のためのローラーが流行しているのに対して、男性用の美顔器などが、感心があるにもかかわらず、それほど流行に至らないのは、男性にとって前記のようにローラーをもっぱら美顔のために日々使用することは面倒であることがその原因の一つではないかと考え、そこで、鋭意研究した結果、男性が毎日のように使用する電気シェーバーに美顔効果を備えたローラーを取り付けることによって、髭剃りと同時に美顔効果が得られることになれば、前記のような問題点は解消するとともに、往復運動式電気シェーバーは、内刃又は外刃の往復運動により微細な振動が発生し、この微細な振動を前記ローラーに伝達してローラー自体を振動させて、振動によるマッサージ効果を加えることによって、より美顔・美容効果が向上することを見出して本考案に想到したものであり、本考案は、電気シェーバーの外装ホルダーの側面にゲルマニウム及びプラチナ等を有する美顔ローラーを設けることによって、髭剃りとともに効率よく美顔・美容効果が得られることを目的とする。
【課題を解決するための手段】
【０００５】
前記の課題を解決するために、本考案は、外装ホルダーに固定される多数の網目状開口部を有する外刃と、該外刃の内面に摺接して往復摺動する内刃とを備えた電気シェーバーにおいて、前記外装ホルダーの片側または両側の側面にゲルマニウムを有する美顔ローラーを肌と接触可能にして且つ回転自在に設けたことを特徴とする電気シェーバーとする（請求項１）。
【０００６】
また、前記の課題を解決するために、本考案は、前記内刃又は外刃の往復運動による微細な振動を前記美顔ローラーに伝達して美顔ローラー自体が振動するように構成されてなることを特徴とする前記の電気シェーバーとすることが好ましい（請求項２）。
【０００７】
また、前記の課題を解決するために、本考案は、前記美顔ローラーは、ゲルマニウムの他に少なくともプラチナ、金、ロジウム及びパラジウムの何れか一種を有することを特徴とする前記の電気シェーバーとすることが好ましい（請求項３）。
【考案の効果】
【０００８】
本考案の美顔ローラーを備えた電気シェーバーは、髭剃りとともに効率よく美顔効果が得られるものであり、髭剃りと美顔が同時に達成できるので効率がよく忘れることもない。特に男性にとっては、髭剃りは日常の習慣となっているものの、ローラーをもっぱら美顔のためのみに使用することは面倒であり忘れがちになる。しかし、本願の電気シェーバーを使用するだけで美顔ローラーを同時に使用したと同様に、皮膚の新陳代謝、細胞の賦活作用、老廃物の除去作用が著しく向上し、ゲルマニウムイオンが皮膚から体内に浸透して体調を整える効果が得られる。また、往復運動式電気シェーバーによるローラーの振動が皮膚細胞に刺激を与え血液の循環をよくし、皮膚の活性化を計るなどのマッサージ効果が得られるので、前記美顔効果が更に向上する効果を奏する。
【図面の簡単な説明】
【０００９】
【図１】実施の形態に係る往復運動式電気シェーバーの斜視図である。
【図２】美顔ローラーを回転自在に支承したカセットを示す説明図である。
【図３】前記カセットを外装ホルダーに取り付けた状態を示す説明図である。
【考案を実施するための形態】
【００１０】
本考案を実施するための形態（以下「実施の形態」と称する）について、以下に詳細に説明する。しかし、本考案は、かかる実施の形態に限定されるものではない。本考案の実施の形態に係る電気シェーバーは、外装ホルダーに固定される多数の網目状開口部を有する外刃と、該外刃の内面に摺接して往復摺動する内刃とを備えた電気シェーバーにおいて、前記外装ホルダーの片側または両側の側面にゲルマニウムを有するローラー（以下「美顔ローラー」と称する）を肌と接触可能にして且つ回転自在に設けたことを特徴とする。
【００１１】
図１は、本考案に係る美顔ローラーを備えた電気シェーバーの斜視図であり、図２は、美顔ローラーを回転自在に支承したカセットを示す説明図であり、図３は、前記カセットを外装ホルダーに取り付けた状態を示す説明図である。
【００１２】
本実施の形態の電気シェーバーは、例えば、図１に示すような髭剃り用の電気シェーバー１である。前記電気シェーバー１は、肌に接触させて移動させる外刃１１と、該外刃を固定する外装ホルダー１２と、前記外刃の内面に摺接し往復運動する内刃１６と、前記外装ホルダー１２の片側又は両側側面にゲルマニウムを有する美顔ローラー１３と、前記外装ホルダーを支持し、図示しない機構部品などを内装するシェーバー本体１４などにより構成される。
【００１３】
なお、図１〜３に示すように、ゲルマニウムを有する美顔ローラー１３が中心軸１３１の両端部を軸受け１３２に回転自在に支承されて外装ホルダー１２の両側側面に設けられている。この美顔ローラー１３は、例えば、ゲルマニウムとプラチナの粒状混合物を合成樹脂又はゴムなどに混合して円筒状に成型し、該成型物の中心部に金属製の軸を設けたものから構成される。ゲルマニウムはｐ型ゲルマニウム半導体またはｎ型ゲルマニウム半導体が好ましく、該半導体が成型体の表面に一部露出し、該半導体とプラチナが接触する状態に形成することが好ましい。プラチナに代えて、金、ロジウム及びパラジウムの何れか一種又は前記物質の合金を配合してもよい。また、前記物質の他にチタン、銀、銅、バナジウム、トルマリン、麦飯石、シリカ、珪石、その他遠赤外線発生物質等を加えてもよい。
【００１４】
また、前記美顔ローラー１３は、公知のもの、例えば、特許文献４に記載のローラーであって、フェライトよりなるローラー基体と、それを被覆する金属円筒、その上に形成されたゲルマニウム薄層よりなる円筒状ローラーの中心部に軸を設けたローラーでもよい。また、特許文献２に記載のローラーであって、フェライト磁石からなる心材の周囲に、不純物としてリン、ヒ素、アンチモン、又はビスマスを含むゲルマニウムからなる不純物半導体層を設けたもの、更に不純物半導体層表面の一部を白金族金族、銅族金属及びそれらの合金から選ばれたものからなる導電膜で被覆したもの、の何れかの中心部に軸を設けたローラーでもよい。以上の他に、美顔・美容効果を有する公知の物質を備えたローラーが本願考案に含まれる。
【００１５】
前記美顔ローラー１３は電気シェーバーの外装ホルダー１２の片側又は両側側面に設けられ、髭剃り動作中に美顔ローラーが肌に接する限りにおいて、外装ホルダーへの取り付け手段は特に限定されるものではないが、例えば、図２に示すように、基板１３４の両端部に、滑り軸受けやベアリング等からなる軸受け１３２を有する一対の支承部１３３を備えた平面視コの字状枠を形成し、前記軸受に中心軸１３１，１３１をそれぞれ支承して美顔ローラーを回転自在に設けたカセット１５を構成し、前記カセット１５を、美顔ローラーを上向きに手前に向けて外装ホルダー１２の側面に接着剤又は粘着剤などで固定する（図３参照）。この際、髭剃り動作中に美顔ローラーが肌に接するようにするために、美顔ローラーを外装ホルダーに取り付けた状態で、美顔ローラーの外刃方向の先端部が外刃の先端と同一の高さ若しくは外刃の先端よりも多少低い高さに保持されるように調整することが好ましい。そして、美顔ローラーが軽く肌を圧接するように電気シェーバーの角度を変えながら試みて最適の角度で使用することが好ましい。バネまたは弾性体によって支承部１３３を傾斜して美顔ローラーを肌に圧接するように構成してもよい。また、前記カセット１５に図示しない両端凸部を設け外装ホルダーに設けた溝に嵌合する等の公知手段で着脱自在に取り付けるように構成してもよい。
【００１６】
前述のように美顔ローラー１３を備えたカセット１５を外装ホルダー１４に取り付けて、電気シェーバーのスイッチを入れると、内刃１６が往復摺動して微振動が発生し、この振動が外装ホルダー１４を介して美顔ローラーに伝達されて美顔ローラーも微振動を生ずる。電気シェーバーの内刃の往復摺動の回数は電気シェーバーのメーカーや機種によっても異なる。例えば、松下電器産業社製のラムダッシュ（登録商標）ＥＳ−ＬＡ９０の場合は毎分１３，０００〜１４，０００ストロークとあり、周波数に換算すると約２１０〜２３０Ｈｚとなる。また、外装ホルダーに圧電素子を接続して外刃を１ＫＨｚ以上の周波数に微振動させる技術が開示されている（特許文献５参照）。係る内刃又は外刃の往復運動による微細な振動を前記美顔ローラーに伝達して、美顔ローラーの微振動で肌をマッサージすることによって肌を活性化し、美顔ローラーによる本来の肌の美顔・美容効果をより向上させる。
【産業上の利用可能性】
【００１７】
近年、男性も化粧をしたり脂肪を減らしスリムな容貌を形成する美顔器を使用するなど美顔に対する感心が高まっている中で、本考案の美顔ローラーを備えた電気シェーバーは、髭剃りとともに効率よく美顔・美容効果が得られることから広く世の中に普及する可能性が高く且つ極めて有用である。
【符号の説明】
【００１８】
１：電気シェーバー、１１：外刃、１２：外装ホルダー、１３：美顔ローラー、１３１：中心軸、１３２：軸受け、１３３：支承部、１３４：基板、１４：シェーバー本体、１５：カセット、１６：内刃
【図１】
0003156986.tif 000003
【図２】
0003156986.tif 000004
【図３】
0003156986.tif 000005